(57)【要約】      （修正有）【課題】最後まで薄葉紙を取り出し易くすることができる薄葉紙収納箱を提供する。【解決手段】薄葉紙収納箱１０Ａは、複数のワイプを収納する薄葉紙収納箱であって、薄葉紙収納箱１０Ａの形状は、上面部１１ａ、下面部１１ｂ、および四つの側面部１１ｃ〜１１ｆからなる六面体であり、薄葉紙収納箱１０Ａの内部には、薄葉紙収納箱１０Ａ内を上下の空間に区画する仕切り板１２Ａが１つ以上設けられ、上面部１１ａおよび下面部１１ｂと、四つの側面部１１ｃ〜１１ｆのうちの一つ以上の側面部とにワイプの取出口１３ａ〜１３ｄが設けられている。【選択図】図１
2018154360.tif 000002
【特許請求の範囲】
【請求項１】
複数の薄葉紙を収納する薄葉紙収納箱であって、
前記薄葉紙収納箱の形状は、上面部、下面部、および四つの側面部からなる六面体であり、
前記薄葉紙収納箱の内部には、前記薄葉紙収納箱内を上下の空間に区画する仕切り板が１つ以上設けられ、
前記上面部および下面部と、前記四つの側面部のうちの一つ以上の側面部とに前記薄葉紙の取出口が設けられていることを特徴とする薄葉紙収納箱。
【請求項２】
前記仕切り板は、クランク状、またはチャンネル状に形成されている請求項１に記載の薄葉紙収納箱。
【請求項３】
前記仕切り板は、前記側面部に設けられている前記取出口に対応した開口部を有する請求項２に記載の薄葉紙収納箱。
【請求項４】
前記取出口は、前記薄葉紙収納箱の表面の破断用切目線に沿って形成されている請求項１〜３の何れか一項に記載の薄葉紙収納箱。
【発明の詳細な説明】
【技術分野】
【０００１】
本発明は、薄葉紙収納箱に関する。
【背景技術】
【０００２】
ワイプ、ペーパータオル、ティシュペーパー、トイレットペーパー、またはキッチンペーパーなどの薄葉紙は、一般に、薄葉紙収納箱に収納して使用されている。
【０００３】
薄葉紙を取り出す取出口は、例えば、薄葉紙収納箱の上面部に設けられており、使用前の段階では、取出口には破断用切目線に沿った蓋部によって覆われている。薄葉紙収納箱内の薄葉紙は、一般に、複数回折り畳まれた状態で収納されており、薄葉紙の折り返し片の縁が上下に隣接する薄葉紙の折り返し片の内面に位置するようにして、複数の薄葉紙は互い違いに重なり合いながら積層されている。そして、使用時には、蓋部を破断用切目線に沿って切り離すことで取出口が形成され、取出口から薄葉紙収納箱内の薄葉紙が順次取出されて使用されている（例えば、特許文献１参照）。このとき、次に引き出される薄葉紙は、取り出される薄葉紙に引きずられて、取出口から一部露出するか、取出口１３ａの内側の近くにある。
【先行技術文献】
【特許文献】
【０００４】
【特許文献１】特開平１０−１７５６８４号公報
【発明の概要】
【発明が解決しようとする課題】
【０００５】
しかしながら、特許文献１に記載の技術のように、取出口が上面部に設けられている薄葉紙収納箱では、薄葉紙収納箱内の薄葉紙が少なくなると、薄葉紙を取出口から取り出しても、次に引き出される薄葉紙は、薄葉紙収納箱内に残っている薄葉紙の束の上面により、その自重の一部が支えられなくなって、自重により薄葉紙収納箱内の底面部の方に落ち込んでしまう。そのため、薄葉紙を取り出す際には、薄葉紙収納箱内の底面部の方にまで手を入れる必要がある。また、複数の薄葉紙が互い違いに重なり合わせずに積層して収納されている場合でも、薄葉紙収納箱内の薄葉紙が少なくなると、薄葉紙を取り出す際には、薄葉紙収納箱内の底面部の方にまで手を入れる必要がある。よって、薄葉紙収納箱内の薄葉紙が少なくなるほど、薄葉紙収納箱から薄葉紙が取り出し難くなる傾向がある。
【０００６】
特に、掃除などに使用されるワイプは、業務用として使用される場合が多い。こうした用途に使用される薄葉紙収納箱は、多数（例えば、１５０枚程度）のワイプを収納できるように、高さが、例えば、２００〜３５０ｍｍ程度の大型のものが多い。そのため、薄葉紙収納箱内のワイプが少なくなると、さらに薄葉紙収納箱内のワイプは取り出し難くなる。
【０００７】
本発明の一態様は、最後まで薄葉紙を取り出し易くすることができる薄葉紙収納箱を提供することを目的とする。
【課題を解決するための手段】
【０００８】
本発明の第１の態様による薄葉紙収納箱は、複数の薄葉紙を収納する薄葉紙収納箱であって、前記薄葉紙収納箱の形状は、上面部、下面部、および四つの側面部からなる六面体であり、前記薄葉紙収納箱の内部には、前記薄葉紙収納箱内を上下の空間に区画する仕切り板が１つ以上設けられ、前記上面部および下面部と、前記四つの側面部のうちの一つ以上の側面部とに前記薄葉紙の取出口が設けられている。
【０００９】
第１の態様によれば、薄葉紙収納箱内に仕切り板を一つ以上設けている。これにより、薄葉紙収納箱内の空間を上下方向に複数の空間に区画することができるため、薄葉紙を収納する空間を上下方向に複数形成することができる。また、薄葉紙収納箱の上面部、下面部、および一つ以上の側面部に薄葉紙の取出口を設けている。これにより、例えば、薄葉紙収納箱内の上側の空間内の薄葉紙が少なくなり、上面部の取出口から薄葉紙が取出し難くなったら、側面部の取出口から薄葉紙を取り出す。そして、上側の空間内の薄葉紙がなくなったら、薄葉紙収納箱の下面部が上向きとなるように薄葉紙収納箱を反転させて、反転により上面になった下面部の取出口から薄葉紙を取り出す。そして、下面部の取出口から薄葉紙が取出し難くなったら、側面部の取出口から薄葉紙を取り出す。よって、高さが高い薄葉紙収納箱であって、上面の取出口から薄葉紙が取出し難くなっても、側面部の取出口から薄葉紙を取り出すことができる。したがって、第１の態様による薄葉紙収納箱によれば、最後まで薄葉紙収納箱内の薄葉紙を容易に取り出すことができる。
【００１０】
第２の態様では、前記仕切り板は、クランク状、またはチャンネル状に形成されている。仕切り板をこのような形状とすることにより、薄葉紙収納箱内の空間内の薄葉紙が少なくなっても、薄葉紙収納箱内の空間を上下に区画した状態を維持することができる。
【００１１】
第３の態様では、前記仕切り板は、前記側面部に設けられている前記取出口に対応した開口部を有する。このような構成とすることにより、薄葉紙収納箱の取出口が仕切り板と重なっても、薄葉紙収納箱内の薄葉紙を取り出すことができる。
【００１２】
第４の態様では、前記取出口は、前記薄葉紙収納箱の表面の破断用切目線に沿って形成されている。このような構成とすることにより、使用前の段階では、薄葉紙収納箱内にゴミ、粉塵、または液体など異物が侵入することを防ぐことができるので、薄葉紙収納箱内に収納されている薄葉紙の束(ウェブ)をきれいな状態で維持することができる。
【発明の効果】
【００１３】
本発明の一態様による薄葉紙収納箱は、最後まで薄葉紙を取り出し易くすることができる。
【図面の簡単な説明】
【００１４】
【図１】本発明の第１の実施形態に係る薄葉紙収納箱の一例を示す図である。
【図２】仕切り板の一例を示す斜視図である。
【図３】本発明の実施形態に係る薄葉紙収納箱の外観の一例を示す斜視図である。
【図４】収納箱本体内にワイプを収納している状態を前面部を外して見た図である。
【図５】薄葉紙収納箱の使用前の状態を示す図である。
【図６】薄葉紙収納箱を使用している状態の一例を示す図である。
【図７】収納箱本体内の状態の一例を前面部を外して見た図である。
【図８】薄葉紙収納箱を横から使用している状態の一例を示す図である。
【図９】薄葉紙収納箱を使用している状態の一例を示す図である。
【図１０】収納箱本体内の状態の一例を前面部を外して見た図である。
【図１１】収納箱本体内の状態の一例を前面部を外して見た図である。
【図１２】薄葉紙収納箱を使用している状態の一例を示す図である。
【図１３】薄葉紙収納箱の使用態様の一例を示す図である。
【図１４】薄葉紙収納箱の他の一例を示す説明図である。
【図１５】薄葉紙収納箱の他の一例を示す説明図である。
【図１６】本発明の第２の実施形態に係る薄葉紙収納箱の一例を示す図である。
【図１７】仕切り板の一例を示す斜視図である。
【図１８】薄葉紙収納箱の使用前の状態を示す図である。
【図１９】収納箱本体内の状態の一例を前面部を外して見た図である。
【図２０】収納箱本体内の状態の一例を前面部を外して見た図である。
【図２１】薄葉紙収納箱の他の一例を示す説明図である。
【図２２】薄葉紙収納箱の他の一例を示す説明図である。
【発明を実施するための形態】
【００１５】
以下、本発明の実施の形態について、詳細に説明する。なお、理解を容易にするため、図面における各部材の縮尺は実際とは異なる場合がある。また、以下の説明において、薄葉紙収納箱の高さ方向の一方を上または上方といい、薄葉紙収納箱の高さ方向の他方を下または下方という場合がある。薄葉紙収納箱の上方に取出口が設けられている本実施形態では、衛生薄葉紙として、ワイプを用いる場合について説明する。なお、ワイプとは、紙、織布または不織布などを用いて成形された繊維シートであり、ワイプにクレープまたはエンボス加工を施してもよい。なお、図面は、直方体形状の薄葉紙収納箱であるが、本実施形態では、直方体形状に限らず、立方体形状を含む六面体形状を対象とする。
【００１６】
＜第１の実施形態＞
本発明の第１の実施形態に係る薄葉紙収納箱について、図面を参照して説明する。図１は、本発明の第１の実施形態に係る薄葉紙収納箱の一例を示す図であり、図２は、仕切り板の一例を示す斜視図であり、図３は、本発明の実施形態に係る薄葉紙収納箱の外観の一例を示す斜視図であり、図４は、収納箱本体内にワイプを収納している状態を前面部を外して見た図である。図１〜図４に示すように、本実施形態に係る薄葉紙収納箱１０Ａは、収納箱本体１１、および仕切り板１２Ａを有し、収納箱本体１１の内部にワイプＷを収納している。
【００１７】
収納箱本体１１は、上面部１１ａと、下面部１１ｂと、上面部１１ａおよび下面部１１ｂを連結する四つの側面部とからなる略直方体（立方体を含む）状に形成された箱体である。四つの側面部は、前面部１１ｃ、後面部１１ｄ、左側面部１１ｅ、および右側面部１１ｆで構成されている。収納箱本体１１は、その内部にワイプＷを収納している。
【００１８】
なお、本実施形態において、上面部１１ａ、下面部１１ｂ、前面部１１ｃ、後面部１１ｄ、左側面部１１ｅ、および右側面部１１ｆの用語は、図１に示す状態の収納箱本体１１を便宜的に表わす用語である。後述するように、収納箱本体１１内の上側のワイプＷがなくなり、収納箱本体１１を反転させた（ひっくり返した）場合には、下面部１１ｂが上面となる。
【００１９】
収納箱本体１１の外形寸法は、収納されるワイプＷの量や寸法などにより決定されるが、例えば、長手方向の長さは、１００〜５００ｍｍ程度、好ましくは１８０〜４５０ｍｍ程度とする。短手方向の長さは、１００〜２５０ｍｍ程度、好ましくは１００〜１３０ｍｍ程度とする。高さは、１００〜４００ｍｍ程度、好ましくは２００〜３５０ｍｍ程度とする。
【００２０】
収納箱本体１１の基材しては、例えば、段ボール、プラスチック段ボール、コートボール紙などを用いることができる。なお、段ボールは、バージンパルプ、古紙パルプなどのパルプを主原料とする公知の紙素材を用いて形成される。プラスチック段ボールは、ポリプロピレン、ポリスチレン、ポリスチレンテレフタレートなどの公知のプラスチック素材を用いて形成される。収納箱本体１１の坪量は、使用に耐えうる十分な強度を確保する点から、例えば、５０〜１００ｇ／ｍ2程度が好ましい。なお、坪量とは、ＪＩＳ Ｐ ８１２４（１９９８）の坪量測定方法に準じて測定したものである。
【００２１】
仕切り板１２Ａは、収納箱本体１１の内部に設けられている。仕切り板１２Ａの材料としては、例えば、段ボールなどを用いることができる。仕切り板１２Ａは、図２に示すように、中間仕切部２２の両端に上部支持部２１および下部支持部２３が略直角にかつ互いに反対方向に屈曲して結合された、クランク状に形成されている。上部支持部２１は収納箱本体１１の左側面部１１ｅと接するように設けられ、下部支持部２３は収納箱本体１１の右側面部１１ｆと接するように設けられている。中間仕切部２２は上部支持部２１の下端部と下部支持部２３の上端部とを連結していて、収納箱本体１１を二つの空間Ｓ１、Ｓ２に区分している。上部支持部２１および下部支持部２３は略平行となるように形成されている。
【００２２】
仕切り板１２Ａが収納箱本体１１内に収納されることで、収納箱本体１１内の空間は上下方向に二つの空間Ｓ１、Ｓ２に区画される。これにより、収納箱本体１１内にワイプＷが収納される空間を上下に個別に二つ形成することができる。
【００２３】
また、上部支持部２１は左側面部１１ｅに押し当てて接触させつつ、上部支持部２１の上部端面２１ａは上面部１１ａの内面に接触させた状態で設けられている。下部支持部２３は右側面部１１ｆに押し当てて接触させつつ、下部支持部２３の下部端面２３ａは下面部１１ｂの内面に接触させた状態で設けられている。よって、仕切り板１２Ａは、収納箱本体１１の側面部の内面を押圧して形状を維持しつつ収納箱本体１１内の空間を上下方向に二つの空間Ｓ１、Ｓ２に区画することができる。これにより、収納箱本体１１内の二つの空間Ｓ１、Ｓ２内にそれぞれ収納されているワイプＷが少なくなっても、収納箱本体１１内の仕切り板１２Ａの形状が崩れることを抑制することができる。そのため、収納箱本体１１内の積層されたワイプＷが崩れることを防ぐことができる。
【００２４】
収納箱本体１１は、上面部１１ａ、下面部１１ｂ、左側面部１１ｅ、および右側面部１１ｆに、それぞれ、ワイプＷを取り出すための取出口１３ａ〜１３ｄを有する。
【００２５】
取出口１３ａ〜１３ｄは、使用前の段階では、図５に示すように、収納箱本体１１の表面の破断用切目線（ミシン目）を介して収納箱本体１１と一体となった蓋部２４ａ〜２４ｄになっている。使用時に、蓋部２４ａ〜２４ｄを破断用切目線に沿って切り離すことで、取出口１３ａ〜１３ｄが形成される。なお、本実施形態において、破断用切目線は、使用時において蓋部２４ａ〜２４ｄを切り離す線を意味する。
【００２６】
また、取出口１３ｃ、１３ｄの位置は、適宜任意に定めることができる。収納箱本体１１の空間Ｓ１内のワイプＷが少なくなった場合でもワイプＷの取出し易さを維持する点から、取出口１３ｄは、仕切り板１２Ａの中間仕切部２２と上面部１１ａとの中間点よりも中間仕切部２２側に取出口１３ｄの中心が位置するように設けることが好ましい。また、収納箱本体１１の空間Ｓ２内のワイプＷが少なくなった場合でもワイプＷの取出し易さを維持する点から、取出口１３ｃは、仕切り板１２Ａの中間仕切部２２と下面部１１ｂとの中間点よりも中間仕切部２２側に取出口１３ｃの中心が位置するように設けることが好ましい。
【００２７】
また、上面部１１ａ、下面部１１ｂ、左側面部１１ｅ、および右側面部１１ｆの取出口１３ａ〜１３ｄには、それぞれ、長手方向にスリットを有する樹脂製フィルム１４ａ〜１４ｄが設けられている。なお、樹脂製フィルム１４ａ〜１４ｄは、上面部１１ａ、下面部１１ｂ、左側面部１１ｅ、および右側面部１１ｆの裏面に、接着剤などにより、固定されている。取出口１３ａ〜１３ｄに樹脂製フィルム１４ａ〜１４ｄをそれぞれ設けることで、使用時に取出口１３ａ〜１３ｄの蓋部２４ａ〜２４ｄを破断用切目線に沿って収納箱本体１１から剥離した場合であっても、収納箱本体１１の内部に外部からゴミ、粉塵、または液体など異物が侵入することを防止することができる。これにより、収納箱本体１１内のワイプＷは外部から侵入する異物で汚れず、収納箱本体１１内から取り出したワイプＷを継続してきれいな状態で使用することができる。また、収納箱本体１１内には異物は溜まり難くなることで、収納箱本体１１内をきれいな状態に保つことができる。
【００２８】
なお、本実施形態では、取出口１３ａ〜１３ｄに樹脂製フィルム１４ａ〜１４ｄをそれぞれ設けているが、特に限定されず、樹脂製フィルム１４ａ〜１４ｄは設けなくてもよい。
【００２９】
使用時には、図６に示すように、取出口１３ａを有する上面部１１ａが上向きとなるように、薄葉紙収納箱１０Ａは縦置きに設置され、蓋部２４ａを破断用切目線に沿って切り離し、取出口１３ａが形成される。これにより、収納箱本体１１内の上側の空間内のワイプＷは、取出口１３ａから取り出すことができる。
【００３０】
収納箱本体１１に収容される複数のワイプＷは、方形のワイプＷが二つ折りされ、その折り返し片の縁が上下に隣接するワイプＷの折り返し片の内面に位置するようにして、互い違いに重なり合いつつ積層されている。使用時に、最上面側に位置するワイプＷが取出口１３ａから上方に引っ張られると、隣接する他の一枚のワイプＷの折り返し片が引きずられ、取出口１３ａから次に取り出されるワイプＷの一部が露出するか、取出口１３ａの内側の近くにある。これにより、次に取り出されるワイプＷは、取出口１３ａから容易に取り出すことができる。なお、ワイプＷは収納箱本体１１に二つ折り（所謂Ｖ折り）して収容されているが、ワイプＷの折り畳み方は、二つ折り以外に、Ｚ字状に折り畳んだ外三つ折り（所謂Ｚ折り）やＷ字状に折り畳んだ外四つ折り（所謂Ｗ折り）などでもよい。
【００３１】
このとき、本実施形態では、収納箱本体１１内の空間は仕切り板１２Ａにより二つに分割されており、収納箱本体１１内の上側の空間Ｓ１の高さは小さくなっている。取出口１３ａから取り出されたワイプＷの下面に位置する次のワイプＷは、空間Ｓ１内に残っている積層されたワイプＷの束の上面により、その自重の一部が支えられているので、取り出されたワイプＷに追従することができる。そのため、次に取り出されるワイプＷは、その自重により、空間Ｓ１内のワイプＷの束の上に落ち込むことを抑制することができる。
【００３２】
その後、図７に示すように、収納箱本体１１内の上側の空間内のワイプＷが少なくなると、次に取り出されるワイプＷが、取り出されたワイプＷに追従できなくなる。そして、次に取り出されるワイプＷの自重により、収納箱本体１１の空間Ｓ１内のワイプＷの束の上に落ち込むようになり、上面部１１ａの取出口１３ａからワイプＷが取出し難くなる。この場合には、図８に示すように、右側面部１１ｆの蓋部２４ｂを破断用切目線に沿って切り離して取出口１３ｄを形成して、取出口１３ｄからワイプＷを取り出す。なお、収納箱本体１１の右側面部１１ｆの蓋部２４ｄは、上面部１１ａの蓋部２４ａを切り離す時に、同時に切り離してもよい。
【００３３】
その後、収納箱本体１１内の上側の空間Ｓ１内のワイプＷがなくなったら、図９に示すように、下面部１１ｂが上向きとなるように、薄葉紙収納箱１０Ａを反転させて、蓋部２４ｂを破断用切目線に沿って切り離すことで、取出口１３ｂが形成される。
【００３４】
なお、それまで下面側にあった下面部１１ｂは上面側に位置し、反対に上面側にあった上面部１１ａは下面側に位置することになるが、混同を避けるため、下面部１１ｂは上面側に位置する場合も下面部と称する。
【００３５】
図１０に示すように、収納箱本体１１内の上側になった空間Ｓ２内のワイプＷは、下面部１１ｂより順に、取出口１３ｂから取り出される。このときも、収納箱本体１１内の空間は仕切り板１２Ａにより二つに分割されているので、収納箱本体１１内の上側になった空間Ｓ２の高さは、下側になった空間Ｓ１と同様、小さくなっている。そのため、取出口１３ｂから取り出されたワイプＷの下面に位置する次のワイプＷは、空間Ｓ２内のワイプＷの束の上に落ち込み難くすることができる。
【００３６】
その後、図１１に示すように、収納箱本体１１内の空間Ｓ２内のワイプＷが少なくなり、下面部１１ｂの取出口１３ｂからワイプＷが取出し難くなったら、図１２に示すように、左側面部１１ｅの蓋部２４ｃを破断用切目線に沿って切り離して取出口１３ｃを形成して、取出口１３ｃからワイプＷを取り出す。
【００３７】
ところで、上側にあった空間Ｓ１内のワイプＷがなくなって収納箱本体１１を反転させると、図１０に示すように、空間Ｓ１が下側になり、空間Ｓ２が上側になる。空間Ｓ２にワイプＷが収納されているため、仕切り板１２Ａの中間仕切部２２に空間Ｓ２内のワイプＷの重みが加わることになる。しかし、仕切り板１２Ａの上部支持部２１の上部端面２１ａが収納箱本体１１の底面（上面部１１ａの内面）に接しているので、仕切り板１２Ａは空間Ｓ２内のワイプＷの重みを支えることができる。また、仕切り板１２Ａの上部支持部２１は収納箱本体１１の左側面部１１ｅを押圧し、下部支持部２３は右側面部１１ｆを押圧している。そのため、仕切り板１２Ａの中間仕切部２２に空間Ｓ２内のワイプＷの重みが加わっても、仕切り板１２Ａは全体として、図２に示すような形状を維持することができる。
【００３８】
このように、本実施形態に係る薄葉紙収納箱１０Ａによれば、上面部１１ａに設けた取出口１３ａまたは下面部１１ｂに設けた取出口１３ｂからワイプＷが取出し難くなったら、左側面部１１ｅに設けた取出口１３ｃまたは右側面部１１ｆに設けた取出口１３ｄからワイプＷを取り出す。また、空間Ｓ１、Ｓ２の高さが小さくなっているので、取出口１３ａまたは取出口１３ｂから取り出されたワイプＷの下面に位置する次のワイプＷは、空間Ｓ１または空間Ｓ２内のワイプＷの束の上に落ち込み難い。よって、本実施形態に係る薄葉紙収納箱１０Ａによれば、収納箱本体１１内のワイプＷを最後まで取り出し易くすることができる。
【００３９】
なお、収納箱本体１１内のそれぞれの空間内のワイプＷが少なくなるか、なくなった場合には、ワイプＷを新たに収納することで、薄葉紙収納箱１０Ａは連続して使用することもできる。
【００４０】
さらに、仕切り板１２Ａは、収納箱本体１１内に収まるように収納されている。そのため、本実施形態に係る薄葉紙収納箱１０Ａを使い終わって廃棄するときは、仕切り板１２Ａを収納箱本体１１から取り外して分離するだけで、薄葉紙収納箱１０Ａを容易に解体することができる。
【００４１】
また、収納箱本体１１内は、仕切り板１２Ａにより、二つの空間に区画されているため、使用状況に応じて、それぞれの空間に異なる種類のワイプＷを収納してもよい。これにより、収納箱本体１１から異なる種類のワイプＷを取り出すこともできる。この場合には、上面部１１ａおよび下面部１１ｂの蓋部２４ａ、２４ｂを外して取出口１３ａ、１３ｂを形成し、適宜、収納箱本体１１を反転させて用いることができる。
【００４２】
また、右側面部１１ｆと仕切り板１２Ａの上部支持部２１との距離、および左側面部１１ｅと仕切り板１２Ａの下部支持部２３との距離（即ち、ワイプＷを収納する収納箱本体１１内の幅）は、収納箱本体１１内に収納された、折りたたまれた状態のワイプＷの幅よりも小さめとする。これにより、収納箱本体１１内に収納されたワイプＷは、収納箱本体１１の内面と仕切り板１２Ａとにより挟持した状態で保持させることができる。このように、ワイプＷを収納箱本体１１内に収納することにより、図１０に示すように、空間Ｓ１内のワイプＷがなくなって収納箱本体１１を反転させた場合でも、上側になる空間Ｓ２内のワイプＷの重みが仕切り板１２Ａの中間仕切部２２に加わることを軽減することができる。
【００４３】
なお、薄葉紙収納箱１０Ａは、縦置きで設置する以外に、横置きに設置してもよい。図１３に示すように、薄葉紙収納箱１０Ａを横置きに設置して、蓋部２４ａ、２４ｂを切り離し、取出口１３ａ、１３ｂを形成することで、取出口１３ａ、１３ｂからワイプＷを同時に取り出すことができる。また、収納箱本体１１内のワイプＷの量に応じて、収納箱本体１１の前面部１１ｃまたは後面部１１ｄが上向きとなるように設置して、蓋部２４ｃ、２４ｄを切り離し、取出口１３ｃ、１３ｄを形成する。これにより、収納箱本体１１内のワイプＷを取出口１３ｃ、１３ｄから同時に取り出すことができる。さらに、ワイプＷを収納箱本体１１の内面と仕切り板１２Ａとにより挟持した状態で収納箱本体１１内に収納している場合には、収納箱本体１１内の空間Ｓ１、Ｓ２にそれぞれ収納されているワイプＷが少なくなっても、収納箱本体１１内に積層されているワイプＷが崩れることを防ぐことができる。
【００４４】
次に、第１の実施形態に係る薄葉紙収納箱１０Ａの取出口１３ｃ、１３ｄの位置の変形例について、いくつか説明する。
【００４５】
図１に示す第１の実施形態では、取出口１３ｃ、１３ｄは、左側面部１１ｅおよび右側面部１１ｆに設けられているが、これに限定されず、取出口１３ｃ、１３ｄは、いずれも、前面部１１ｃまたは後面部１１ｄに設けられていてもよい。
【００４６】
また、図１に示す第１の実施形態では、取出口１３ｃ、１３ｄは、左側面部１１ｅおよび右側面部１１ｆの仕切り板１２Ａと接しない位置に設けられているが、これに限定されない。例えば、図１４に示すように、取出口１３ｃ、１３ｄは、仕切り板１２Ａの上部支持部２１および下部支持部２３と接する位置に設けてもよい。この場合、仕切り板１２Ａの上部支持部２１および下部支持部２３には、収納箱本体１１の左側面部１１ｅおよび右側面部１１ｆの取出口１３ｃ、１３ｄに対応する位置に、取出口１３ｃ、１３ｄと略同じ形状の開口部３１ａ、３１ｂを設ける。この場合でも、収納箱本体１１の２つの空間内のワイプＷを、取出口１３ｃ、１３ｄ、および開口部３１ａ、３１ｂから取り出すことができる。
【００４７】
さらに、図１に示す第１の実施形態では、収納箱本体１１の側面部に２つの取出口１３ｃ、１３ｄが設けられているが、これに限定されず、一つでもよい。例えば、図１５に示すように、取出口１３ｅが収納箱本体１１の右側面部１１ｆに設けられていてもよい。この場合、取出口１３ｅの大きさは、収納箱本体１１内の２つの空間Ｓ１、Ｓ２の一部と重なる大きさとする。取出口１３ｅは、収納箱本体１１内の空間Ｓ１内のワイプＷを取り出すための上部取出口１３ｅ−１と、収納箱本体１１内の空間Ｓ２内のワイプＷを取り出すための下部取出口１３ｅ−２とで構成する。仕切り板１２Ａの下部支持部２３には下部取出口１３ｅ−２に対応した開口部３１ｃを設ける。この結果、仕切り板１２Ａにより上下に区画された二つの空間内に収納されているワイプＷは、右側面部１１ｆに設けられている取出口１３ｅから、それぞれ取り出すことができる。なお、取出口１３ｅに対応した樹脂製フィルム１４ｅを右側面部１１ｆの裏面に設けているが、特に設けなくてもよい。
【００４８】
なお、取出口１３ｅは、収納箱本体１１の右側面部１１ｆに設けられているが、左側面部１１ｅに設けられていてもよいし、右側面部１１ｆおよび左側面部１１ｅの両方に設けられていてもよい。
【００４９】
以上のように、本実施形態に係る薄葉紙収納箱１０Ａによれば、ワイプＷの大きさや積層数などに関係なく、ワイプＷの取出しを容易に行うことができると共に、本実施形態に係る薄葉紙収納箱１０Ａの解体を容易に行うことができる。
【００５０】
＜第２の実施形態＞
本発明の第２の実施形態に係る薄葉紙収納箱について、図面を参照して説明する。なお、上記実施形態と同様の機能を有する部材には、同一の符号を付して詳細な説明は省略する。
【００５１】
図１６は、本発明の第２の実施形態に係る薄葉紙収納箱の一例を示す図であり、図１７は、仕切り板の一例を示す斜視図である。図１６および図１７に示すように、本実施形態に係る薄葉紙収納箱１０Ｂは、収納箱本体１１、およびチャンネル状に形成された仕切り板１２Ｂ−１、１２Ｂ−２を有する。また、取出口１３ｃは前面部１１ｃに設けられ、取出口１３ｄは収納箱本体１１の後面部１１ｄに設けられている。
【００５２】
なお、本実施形態においても、上述の第１の実施形態と同様、収納箱本体１１内の上側のワイプＷがなくなり、収納箱本体１１を反転させた（ひっくり返した）場合、下面部１１ｂが上面側に位置する場合も下面部と称する。
【００５３】
仕切り板１２Ｂ−１、１２Ｂ−２は、中間底面部４１の両端に第１支持部４２−１および第２支持部４２−２が略直角にかつ互いに同一方向に屈曲して結合している。
【００５４】
仕切り板１２Ｂ−１の第１支持部４２−１は、収納箱本体１１の左側面部１１ｅと接するように設けられ、第２支持部４２−２は、収納箱本体１１の右側面部１１ｆと接するように設けられている。仕切り板１２Ｂ−１の中間底面部４１は、第１支持部４２−１および第２支持部４２−２の下端部を連結している。また、第１支持部４２−１の上部端面４２ａ−１は上面部１１ａの内面に接触させた状態で設けられ、第２支持部４２−２の上部端面４２ａ−２は上面部１１ａの内面に接触させた状態で設けられている。
【００５５】
仕切り板１２Ｂ−２の第１支持部４２−１は、収納箱本体１１の左側面部１１ｅと接するように設けられ、第２支持部４２−２は、収納箱本体１１の右側面部１１ｆと接するように設けられている。仕切り板１２Ｂ−２の中間底面部４１は、第１支持部４２−１および第２支持部４２−２の上端部と連結している。また、第２支持部４２−２の下部端面４２ｂ−１は下面部１１ｂの内面に接触させた状態で設けられ、第２支持部４２−２の下部端面４２ｂ−２は下面部１１ｂの内面に接触させた状態で設けられている。
【００５６】
仕切り板１２Ｂ−１、１２Ｂ−２は、それぞれの中間底面部４１が接するように収納箱本体１１内に収納されることで、収納箱本体１１内の空間は上下方向に二つの空間Ｓ１、Ｓ２に区画され、収納箱本体１１内にワイプＷが収納される空間が上下に個別に二つ形成される。
【００５７】
取出口１３ａ〜１３ｄは、使用前の段階では、図１８に示すように、収納箱本体１１の表面の破断用切目線（ミシン目）を介して収納箱本体１１と一体となった蓋部２４ａ〜２４ｄになっている。使用時に、蓋部２４ａ〜２４ｄを破断用切目線に沿って切り離すことで、取出口１３ａ〜１３ｄが形成される。具体的な使用方法は、上述の第１の実施形態と実質的に同様であるため、説明は省略する。
【００５８】
よって、本実施形態に係る薄葉紙収納箱１０Ｂにおいても、上記の第１の実施形態に係る薄葉紙収納箱１０Ａと同様、上面部１１ａに設けた取出口１３ａまたは下面部１１ｂに設けた取出口１３ｂからワイプＷが取出し難くなったら、左側面部１１ｅに設けた取出口１３ｃまたは右側面部１１ｆに設けた取出口１３ｄからワイプＷを取り出す。これにより、収納箱本体１１内のワイプＷを最後まで取り出し易くすることができる。
【００５９】
また、本実施形態に係る薄葉紙収納箱１０Ｂにおいては、一組の仕切り板１２Ｂ−１、１２Ｂ−２を収納箱本体１１内に設け、仕切り板１２Ｂ−１の上部端面４２ａ−１、４２ａ−２は上面部１１ａの内面に接触させ、仕切り板１２Ｂ−２の下部端面４２ｂ−１、４２ｂ−２は下面部１１ｂの内面に接触させた状態で設けられている。そのため、収納箱本体１１を反転させ、下面部１１ｂが上面となるように使用した場合でも、仕切り板１２Ｂ−１の上部端面４２ａ−１、４２ａ−２が収納箱本体１１の底面（上面部１１ａの内面）に接している。そのため、仕切り板１２Ｂ−１は空間Ｓ２内のワイプＷの重みにより変形することなく、安定して支持することができる。
【００６０】
本実施形態では、２つの仕切り板１２Ｂ−１、１２Ｂ−２を収納箱本体１１内に収納しているが、これに限定されず、仕切り板は一つでもよい。この場合、図１９に示すように、収納箱本体１１内には仕切り板１２Ｂ−１のみを収納する。空間Ｓ１、Ｓ２にワイプＷが収納されている時は、空間Ｓ２にワイプＷが収納されているため、仕切り板１２Ｂ−１が下面部１１ｂ側に下がることはない。その後、空間Ｓ１内のワイプＷがなくなり、図２０に示すように、収納箱本体１１を反転させた時には、仕切り板１２Ｂ−１の上部端面４２ａ−１、４２ａ−２が収納箱本体１１の底面（上面部１１ａの内面）に接した状態を維持できる。そのため、空間Ｓ１内のワイプＷがなくなっても、仕切り板１２Ｂ−１は空間Ｓ２内のワイプＷの重みにより変形することなく、安定して支持することができる。
【００６１】
次に、本実施形態に係る薄葉紙収納箱１０Ｂの取出口１３ｃ、１３ｄの位置の変形例について、いくつか説明する。
【００６２】
図１６に示す第２の実施形態では、取出口１３ｃ、１３ｄは、前面部１１ｃまたは後面部１１ｄに別々に設ける形態に限定されず、いずれも、収納箱本体１１の前面部１１ｃまたは後面部１１ｄにのみ設けられてもよい。
【００６３】
また、図１６に示す第２の実施形態では、取出口１３ｃ、１３ｄは、収納箱本体１１の前面部１１ｃおよび後面部１１ｄに設け、仕切り板１２Ａと接しない位置に設けられているが、これに限定されない。例えば、図２１に示すように、取出口１３ｃは、仕切り板１２Ｂ−１の第１支持部４２−１と接する位置に設け、取出口１３ｄは、仕切り板１２Ｂ−２の第２支持部４２−２と接する位置に設けてもよい。
【００６４】
この場合、仕切り板１２Ｂ−１の第１支持部４２−１および仕切り板１２Ｂ−２の第２支持部４２−２には、収納箱本体１１の取出口１３ｃ、１３ｄに対応する位置に、取出口１３ｃ、１３ｄと略同じ形状の開口部３１ａ、３１ｂを設けるようにする。このような形態でも、収納箱本体１１の２つの空間内のワイプＷを、取出口１３ｃ、１３ｄ、および開口部３１ａ、３１ｂから、取り出すことができる。
【００６５】
なお、取出口１３ｃ、１３ｄは、左側面部１１ｅまたは右側面部１１ｆに別々に設ける形態に限定されず、いずれも、左側面部１１ｅまたは右側面部１１ｆにのみ設けられてもよい。
【００６６】
さらに、図１６に示す第２の実施形態では、収納箱本体１１の側面部に２つの取出口１３ｃ、１３ｄが設けられているが、これに限定されず、一つでもよい。例えば、図２２に示すように、取出口１３ｅが収納箱本体１１の右側面部１１ｆに設けられていてもよい。この場合、取出口１３ｅの大きさは、仕切り板１２Ｂ−１の第２支持部４２−２および仕切り板１２Ｂ−２の第２支持部４２−２の一部と重なる大きさとする。取出口１３ｅは、収納箱本体１１内の上側の空間内のワイプＷを取り出すための上部取出口１３ｅ−１と、収納箱本体１１内の下側の空間内のワイプＷを取り出すための下部取出口１３ｅ−２とで構成する。仕切り板１２Ｂ−１の第２支持部４２−２には、上部取出口１３ｅ−１に対応した上部開口部３１ｃ−１を設ける。仕切り板１２Ｂ−２の第２支持部４２−２には、下部取出口１３ｅ−２に対応した下部開口部３１ｃ−２を設ける。この結果、仕切り板１２Ｂ−１、１２Ｂ−２により上下に区画された二つの空間Ｓ１、Ｓ２内に収納されているワイプＷは、右側面部１１ｆに設けられている取出口１３ｅから、それぞれ取り出すことができる。
【００６７】
なお、この場合には、取出口１３ｅに対応した樹脂製フィルム１４ｅを右側面部１１ｆの裏面に設けているが、特に設けなくてもよい。
【００６８】
また、取出口１３ｅは、収納箱本体１１の右側面部１１ｆに設けられているが、左側面部１１ｅに設けられていてもよいし、右側面部１１ｆおよび左側面部１１ｅの両方に設けられていてもよい。
【００６９】
このように、本実施形態に係る薄葉紙収納箱１０Ｂにおいても、上記の第１の実施形態に係る薄葉紙収納箱１０Ａと同様、ワイプＷの大きさや積層数などに関係なく、ワイプＷの取出しを容易に行うことができると共に、本実施形態に係る薄葉紙収納箱１０Ｂの解体を容易に行うことができる。
【００７０】
以上、上記各実施形態では、仕切り板として、クランク状またはチャンネル状に形成された仕切り板を用いているが、これに限定されるものではない。仕切り板は、収納箱本体１１内の空間を区画しつつワイプＷが崩れないように保持することが可能であればよく、特に限定されるものではない。
【００７１】
上記各実施形態では、衛生薄葉紙としてワイプを用いて説明したが、これに限定されるものではなく、ペーパータオル、ティシュペーパー、トイレットペーパー、またはキッチンペーパーなど他の薄葉紙、およびオシボリやクッキングペーパーなどのパルプ不織布も用いることができる。
【００７２】
以上の通り、実施形態を説明したが、上記各実施形態は、例として提示したものであり、上記実施形態により本発明が限定されるものではない。上記実施形態は、その他の様々な形態で実施されることが可能であり、発明の要旨を逸脱しない範囲で、種々の組み合わせ、省略、置き換え、変更などを行うことが可能である。これら実施形態やその変形は、発明の範囲や要旨に含まれると共に、特許請求の範囲に記載された発明とその均等の範囲に含まれる。
【実施例】
【００７３】
以下、実施例および比較例を示して実施形態を更に具体的に説明するが、実施形態はこれらの実施例により限定されるものではない。
【００７４】
＜薄葉紙収納箱の作製＞
［実施例１〜４］
図１に示す収納箱本体１１（三層構造の段ケース（表層：坪量１７０ｇ／ｍ2、材質Ｃ５；中芯：坪量１１５ｇ／ｍ2、材質中芯１１５；裏層：坪量１６０ｇ／ｍ2、材質Ｃ５））を準備し、収納箱本体１１の中に、クランク状に形成された仕切り板１２Ａを入れた。その後、収納箱本体１１内の仕切り板１２Ａで区画された二つの空間Ｓ１、Ｓ２にシートをそれぞれ所定のシート入数（シート組数）を収納し、空間Ｓ１、Ｓ２内をシートがほぼいっぱいになるようにした。収納箱の使い方は、六面体からなる部分の側面部の面積が一番小さい部分が常に上に来るように設置して使用する。収納箱本体１１である段ケースの大きさ（外寸）と、収納箱本体１１に収納するシートの素材、坪量、シートのプライ数（積層数）、シートの寸法、シートの折りたたみ後の寸法、および収納したシート入数（シート組数）とを、下記表１に示す。なお、表１中のシートの寸法およびシートの折りたたみ後の寸法の流れ方向（ＭＤ）は、シートの縦方向の寸法を表わし、幅方向(ＣＤ)は、ＭＤに垂直なシートの横方向の寸法を表わす。また、表１中のシート入数（シート組数）は、収納箱本体１１内の仕切り板１２Ａで区画された二つの空間Ｓ１、Ｓ２に収納したシートの総数を表わし、二つの空間Ｓ１、Ｓ２に収納されたシート数は、シートの総数の半分とした。
【００７５】
［比較例１〜４］
実施例１〜４と同じ収納箱本体１１を準備し、収納箱本体１１の中に仕切り板を入れず、上記と同様のシートを収納箱本体１１内の空間内の５０％程度まで収納した。収納箱本体１１である段ケースの大きさ（外寸）と、シートの素材、坪量、シートのプライ数（積層数）、シートの寸法、シートの折りたたみ後の寸法、および収納したシート入数（シート組数）とを、下記表１に示す。
【００７６】
＜シートの落ち込みの有無＞
［実施例１〜４］
各実施例の、収納箱本体１１にシートが収納された薄葉紙収納箱を用いて、収納箱本体１１内のシートを上面部１１ａの取出口１３ａから取り出して、空間Ｓ１内のシートの残量が５０％程度くらいとなるようにした。その後、シートを取出口１３ａから取り出した際、取り出されたシートの下面に位置する次のシートが収納箱本体１１内のシートの束の上に落ち込まず、収納箱本体１１内の空間に浮いた状態で存在しているか確認した。
【００７７】
［比較例１〜４］
各比較例の、収納箱本体１１にシートが収納された薄葉紙収納箱を用いて、収納箱本体１１内の上面側のシートを上面部１１ａの取出口１３ａから取り出した際、取り出されたシートの下面に位置する次のシートが収納箱本体１１内のシートの束の上に落ち込まず、収納箱本体１１内の空間に浮いた状態で存在しているか確認した。
【００７８】
各実施例および比較例において、シートが収納箱本体１１内のシートの束の上に落ち込んでいない場合を○印とし、シートが収納箱本体１１内のシートの束の上に落ち込んでいる場合は×印とした。各実施例および比較例の薄葉紙収納箱のそれぞれのシートの落ち込み結果を表１に示す。
【００７９】
【表１】
2018154360.tif 000003
【００８０】
比較例１〜４の、シートが収納された薄葉紙収納箱では、いずれも、収納箱本体１１の空間内に残っているシートは収納箱本体１１内のシートの束の上に落ち込んでいたことが確認された。一方、実施例１〜４の、シートが収納された薄葉紙収納箱では、いずれも、収納箱本体１１内から取り出されたシートの下面に位置する次のシートは、収納箱本体１１内のシートの束の上に落ち込んでいないことが確認された。なお、実施例１〜４の、シートが収納された薄葉紙収納箱では、次に取り出されるシートが収納箱本体１１内のシートの束の上に落ち込んでいないので、収納箱本体１１の側面部の取出口から収納箱本体１１の空間内に残っているシートを取り出す際、簡単に取り出せる。
【００８１】
よって、各実施例および比較例の結果から、本実施形態に係る薄葉紙収納箱を用いれば、収納箱本体１１内に収納されたシートを最後まで取り出しやすい状態を維持しながら使用することができる。そのため、本実施形態に係る薄葉紙収納箱は、業務用などのような大型の薄葉紙収納箱に有効に用いることができるといえる。
【符号の説明】
【００８２】
１０Ａ、１０Ｂ  薄葉紙収納箱
１１  収納箱本体
１２Ａ、１２Ｂ−１、１２Ｂ−２  仕切り板
１３ａ〜１３ｅ  取出口
３１ａ、３１ｂ  開口部
Ｗ  ワイプ
【図１】
2018154360.tif 000004
【図２】
2018154360.tif 000005
【図３】
2018154360.tif 000006
【図４】
2018154360.tif 000007
【図５】
2018154360.tif 000008
【図６】
2018154360.tif 000009
【図７】
2018154360.tif 000010
【図８】
2018154360.tif 000011
【図９】
2018154360.tif 000012
【図１０】
2018154360.tif 000013
【図１１】
2018154360.tif 000014
【図１２】
2018154360.tif 000015
【図１３】
2018154360.tif 000016
【図１４】
2018154360.tif 000017
【図１５】
2018154360.tif 000018
【図１６】
2018154360.tif 000019
【図１７】
2018154360.tif 000020
【図１８】
2018154360.tif 000021
【図１９】
2018154360.tif 000022
【図２０】
2018154360.tif 000023
【図２１】
2018154360.tif 000024
【図２２】
2018154360.tif 000025